(57)【要約】【課題】ある程度の長さを有する選別対象物をその長さや太さ等で確実に選別することができる選別プレートを提供する。【解決手段】選別対象物６が移動する上面及びこの上面と下面との間に所定の厚みを有するプレート本体と、プレート本体に一様に分布された選別孔３であって、各々が前記プレート本体を上下に貫通し、上面に開口する入口側開口３ａ及び下面に開口し且つ入口側開口３ａよりも小の出口側開口３ｂを有する多数の選別孔３と、該選別孔３の内周面の部位に出口側開口３ｂから入口側開口３ａに亘ってそれぞれ形成され、下面から上面に向かって選別孔３の開口面積を増加させるように互いに逆向きに傾斜した傾斜面４と、隣り合う選別孔３の傾斜面４同士がその上縁にて互いに接することで形成された鋭角なエッジ５とを備えた。【選択図】図４
2011115774.tif 000002
【特許請求の範囲】
【請求項１】
選別対象物が移動する上面及びこの上面と下面との間に所定の厚みを有するプレート本体と、
該プレート本体に一様に分布された選別孔であって、各々が前記プレート本体を上下に貫通し、前記上面に開口する入口側開口及び前記下面に開口し且つ前記入口側開口よりも小の出口側開口を有する多数の選別孔と、
該選別孔の内周面の部位に前記出口側開口から前記入口側開口に亘ってそれぞれ形成され、前記下面から前記上面に向かって前記選別孔の開口面積を増加させるように互いに逆向きに傾斜した傾斜面と、
隣り合う前記選別孔の前記傾斜面同士がその上縁にて互いに接することで形成された鋭角なエッジとを備えたことを特徴とする選別プレート。
【請求項２】
前記選別孔はテーパ孔であり、前記選別対象物が移動する移動方向及びこの移動方向と交差する複数の方向に隣り合う前記入口側開口同士の開口縁が互いに接する状態で分布されていることを特徴とする請求項１に記載の選別プレート。
【請求項３】
前記選別孔は矩形孔であり、前記選別対象物が移動する移動方向に隣接する選別孔同士が前記選別プレートの幅方向に互いにずらして分布されていることを特徴とする請求項１に記載の選別プレート。
【請求項４】
前記プレート本体は、前記選別対象物の移動方向と交差して平行に配設された複数の板材と、前記移動方向に沿って平行に配設され、少なくとも前記板材よりも上方に位置する上面を含んだ複数のガイド板とを有し、
前記エッジは前記板材を長手方向に沿って屈曲させたときに形成される屈曲縁として形成され、
前記傾斜面は前記屈曲縁から下側に傾斜している前記板材の上面で形成されていることを特徴とする請求項１に記載の選別プレート。
【請求項５】
前記複数のガイド板の全長は隣り合うガイド板の全長と異なっていることを特徴とする請求項４に記載の選別プレート。
【請求項６】
前記ガイド板の前記選別対象物の移動方向に対する手前側は、上面が徐々に高さを増していく上昇面として形成されていることを特徴とする請求項４又は５に記載の選別プレート。
【請求項７】
前記プレート本体の上方であって、前記出口側開口から垂直方向に設置高さを隔てて配設され、前記プレート本体の全面を覆うカバー材とをさらに備え、
前記設置高さは、前記選別対象物のうち、前記選別孔を通過させない非通過物の全長よりも短いことを特徴とする請求項１〜６のいずれかに記載の選別プレート。
【発明の詳細な説明】
【技術分野】
【０００１】
本発明は、異なる形状のものが混在している選別対象物を的確に選別するための選別プレートに関するものである。
【背景技術】
【０００２】
従来、選別対象物を例えばその形状で良品と不良品に選別するものとしてふるいが知られている（例えば特許文献１参照）。このふるいは、金網やパンチングメタル等を用いて、開口面積の大きさで径の大きいものと小さいものを選別するものである。このようなふるいは、粒体や紛体を選別するには適している。
【０００３】
しかしながら、例えば特許文献１に示されるような金網を用いたふるいでは、棒状あるいは板状等のある程度の長さをもつ選別対象物をその長さあるいは太さで選別することは困難である。なぜなら、ふるいを用いて選別する際、ふるいを振動させて選別対象物に角度をもたせてふるいの目を通すわけだが、この角度は長さの違いで揃えることはできず、したがって長さの違いで選別ができない。
【先行技術文献】
【特許文献】
【０００４】
【特許文献１】特開２００１−３２７９２１号公報
【発明の概要】
【発明が解決しようとする課題】
【０００５】
本発明は、上記従来技術を考慮したものであって、ある程度の長さを有する選別対象物をその長さや太さ等で確実に選別することができる選別プレートを提供することを目的とする。
【課題を解決するための手段】
【０００６】
前記目的を達成するため、請求項１の発明では、選別対象物が移動する上面及びこの上面と下面との間に所定の厚みを有するプレート本体と、該プレート本体に一様に分布された選別孔であって、各々が前記プレート本体を上下に貫通し、前記上面に開口する入口側開口及び前記下面に開口し且つ前記入口側開口よりも小の出口側開口を有する多数の選別孔と、該選別孔の内周面の部位に前記出口側開口から前記入口側開口に亘ってそれぞれ形成され、前記下面から前記上面に向かって前記選別孔の開口面積を増加させるように互いに逆向きに傾斜した傾斜面と、隣り合う前記選別孔の前記傾斜面同士がその上縁にて互いに接することで形成された鋭角なエッジとを備えたことを特徴とする選別プレートを提供する。
【０００７】
請求項２の発明では、請求項１の発明において、前記選別孔はテーパ孔であり、前記選別対象物が移動する移動方向及びこの移動方向と交差する複数の方向に隣り合う前記入口側開口同士の開口縁が互いに接する状態で分布されていることを特徴としている。
【０００８】
請求項３の発明では、請求項１の発明において、前記選別孔は矩形孔であり、前記選別対象物が移動する移動方向に隣接する選別孔同士が前記選別プレートの幅方向に互いにずらして分布されていることを特徴としている。
【０００９】
請求項４の発明では、請求項１の発明において、前記プレート本体は、前記選別対象物の移動方向と交差して平行に配設された複数の板材と、前記移動方向に沿って平行に配設され、少なくとも前記板材よりも上方に位置する上面を含んだ複数のガイド板とを有し、前記エッジは前記板材を長手方向に沿って屈曲させたときに形成される屈曲縁として形成され、前記傾斜面は前記屈曲縁から下側に傾斜している前記板材の上面で形成されていることを特徴としている
【００１０】
請求項５の発明では、請求項４の発明において、前記複数のガイド板は、隣り合うガイド板よりも前記選別対象物の移動方向手前側に突出している突出片を有し、前記突出片を有するガイド板と有さないガイド板とが交互に配設されていることを特徴としている。
【００１１】
請求項６の発明では、請求項４又は５の発明において、前記ガイド板の前記選別対象物の移動方向に対する手前側は、上面が徐々に高さを増していく上昇面として形成されていることを特徴としている。
【００１２】
請求項７の発明では、請求項１〜６のいずれかの発明において、前記プレート本体の上方であって、前記出口側開口から垂直方向に設置高さを隔てて配設され、前記プレート本体の全面を覆うカバー材とをさらに備え、前記設置高さは、前記選別対象物のうち、前記選別孔を通過させない非通過物の全長よりも短いことを特徴としている。
【発明の効果】
【００１３】
請求項１の発明によれば、プレート本体を貫通する選別孔の内周面が傾斜して形成される。このため、プレート本体はある程度の厚みを有する。この厚みがあるため、ある程度の長さを有するものであっても傾斜面に沿って傾き、選別孔の出口側開口から通過させることができる。また、傾斜面に沿って傾く際、エッジが支点となるため、容易に傾かせることができる。すなわち、この選別プレートは、選別孔を通過可能な通過物と選別孔を通過不可能な非通過物とが混合している選別対象物のうち、通過物のみを選別孔を通過させて選別する際に用いることができる。このときに、エッジにより通過物を容易に傾かせ、傾いた通過物は傾斜面に沿って滑り落ちて出口側開口を通過する。したがって、ある程度の長さを有し、これが長辺となっている通過物であっても、容易に選別孔を通過させることができる。
【００１４】
請求項２の発明によれば、テーパ孔とすることで、選別対象物の移動方向のみならず、様々な方向で開口縁同士を隣接することができ、したがって選別対象物がどのような角度で移動しても、これに対応して選別孔を通過させることができる。
【００１５】
請求項３の発明によれば、選別孔を矩形とし、選別対象物の移動方向に隣接する選別孔同士が選別プレートの幅方向に互いにずらして分布しているので、円板状の選別対象物を選別するのに適している。
【００１６】
請求項４の発明によれば、プレート本体を貫通する選別孔の内周面が板材を折り曲げたときの傾斜面として形成される。このため、プレート本体はある程度の厚みを有することになる。この厚みがあるため、ある程度の長さを有するものであっても傾斜面に沿って傾き、選別孔の出口側開口から通過させることができる。また、傾斜面に沿って傾く際、屈曲縁としてのエッジが支点となるため、容易に選別対象物を傾かせて傾斜面に沿って出口側開口に移動させることができる。すなわち、この選別プレートは、選別孔を通過可能な通過物と選別孔を通過不可能な非通過物とが混合している選別対象物のうち、通過物のみを選別孔を通過させて選別する際に用いることができる。このときに、エッジにより通過物を容易に傾かせ、傾いた通過物は傾斜面に沿って滑り落ちて出口側開口を通過する。したがって、ある程度の長さを有し、これが長辺となっている通過物であっても、容易に選別孔を通過させることができる。
【００１７】
請求項５の発明によれば、長尺の選別対象物が移動中、移動方向手前側に突出しているガイド板に接触し、この突出先端を支点として傾くので、効率よく選別対象物を移動させることができる。
【００１８】
請求項６の発明によれば、移動してきた選別対象物がガイド板の移動方向手前側に突き当たり、さらに移動することで上昇面に乗っかってある程度移動するので、選別対象物がガイド板に突き当たって停止することを抑制できる。
【００１９】
請求項７の発明によれば、カバー材が設置される出口側開口からの設置高さが、非通過物の全長より短く設定される。このため、非通過物が飛び跳ねてその先端から選別孔を通過する姿勢となる前に、非通過物の後端がカバー材に衝突するので、非通過物が誤って選別孔を通過することを確実に防止できる。
【図面の簡単な説明】
【００２０】
【図１】本発明に係る選別プレートの概略図である。
【図２】本発明に係る選別プレートの平面図である。
【図３】図２のＡ−Ａ断面図である。
【図４】本発明に係る選別プレートの使用状態時の平面図である。
【図５】本発明に係る選別プレートの使用状態を順番に示す断面図である。
【図６】本発明に係る選別プレートの使用状態を順番に示す断面図である。
【図７】本発明に係る選別プレートの使用状態を順番に示す断面図である。
【図８】本発明に係る選別プレートの使用状態を順番に示す断面図である。
【図９】本発明に係る選別プレートの使用状態を順番に示す断面図である。
【図１０】本発明に係る選別プレートの別の使用状態時の平面図である。
【図１１】本発明に係る選別プレートの別の使用状態を順番に示す断面図である。
【図１２】本発明に係る選別プレートの別の使用状態を順番に示す断面図である。
【図１３】本発明に係る選別プレートの別の使用状態を順番に示す断面図である。
【図１４】本発明に係る選別プレートの別の使用状態を順番に示す断面図である。
【図１５】本発明に係る選別プレートの別の使用状態を順番に示す断面図である。
【図１６】本発明に係る別の選別プレートの概略図である。
【図１７】図１６に示した選別プレートの平面図である。
【図１８】図１７のＢ−Ｂ断面図である。
【図１９】図１６に示した選別プレートの使用状態時の平面図である。
【図２０】図１６に示した選別プレートの使用状態を順番に示す断面図である。
【図２１】図１６に示した選別プレートの使用状態を順番に示す断面図である。
【図２２】図１６に示した選別プレートの使用状態を順番に示す断面図である。
【図２３】図１６に示した選別プレートの使用状態を順番に示す断面図である。
【図２４】図１６に示した選別プレートの使用状態を順番に示す断面図である。
【図２５】本発明に係る選別プレートを用いた振動ふるい装置の概略図である。
【図２６】本発明に係るさらに別の選別プレートの概略図である。
【図２７】図２６のＣ−Ｃ一部断面図である。
【図２８】本発明に係る選別プレートを組み合わせて利用したときの概略図である。
【図２９】本発明に係るさらに別の選別プレートの概略図である。
【発明を実施するための形態】
【００２１】
図１は本発明に係る選別プレートの概略図である。
図示したように、本発明に係る選別プレート１は、プレート本体２と、このプレート本体２を貫通する多数の選別孔３を有している。プレート本体２は表裏の両面を有し、上面（図の手前側の面）が入口側面２ａであり、下面が出口側面２ｂである。選別孔３は、入口側面２ａから出口側面２ｂに向けてその径が縮小している。すなわち、選別孔３の内周面はテーパ状に形成されてテーパ面４が形成されている。逆にいえば、テーパ面４は、出口側面２ｂから入口側面２ａに向かって選別孔３が拡径するように傾斜している。したがって、選別孔３の入口側開口３ａは、出口側開口３ｂに比べて大きい。また、隣り合う選別孔３の入口側開口３ａの開口縁同士は接していて、エッジ５が形成されている。
【００２２】
図２は本発明に係る選別プレートの平面図であり、図３は図２のＡ−Ａ断面図である。
図２では、プレート本体２の外形は省略している。上述したように、選別孔３は、エッジ５を介して互いの入口側開口３ａの開口縁が接しながら隣り合っている。図３に示すように、エッジ５はテーパ面４とその隣のテーパ面４との間に形成されているため、鋭角である。
【００２３】
以上により、プレート本体２を貫通する選別孔３の内周面がテーパ形状に形成されているため、プレート本体２はある程度の厚みを有することになる。この厚みがあるため、ある程度の長さを有するものであってもテーパ面４に沿って傾くので、選別孔３の出口側開口３ｂから通過させることができる。また、テーパ面４に沿って傾く際、エッジ５が支点となるため、容易に傾かせることができる。すなわち、この選別プレート１は、選別孔３を通過可能な通過物と選別孔を通過不可能な非通過物とが混合している選別対象物のうち、通過物のみを選別孔を通過させて選別する際に用いることができる（詳細は後述する）。このときに、エッジ５により通過物を容易に傾かせ、傾いた通過物はテーパ面４に沿って滑り落ちて出口側開口３ｂを通過する。このエッジ５があることにより、プレート本体２が上下又は左右移動あるいは円方向に移動して、プレート本体２の上面を選別対象物が移動した場合に、一の選別孔３に入らなくても、隣の選別孔３に入る可能性が高くなる。したがって、ある程度の長さを有し、これが長辺となっている通過物であっても、容易に選別孔３を通過させることができる。なお、選別孔３の形状は、通過物を通過できるものであればどのような形状（例えば円や四角、あるいは三角等）であってもよい。
【００２４】
図４は本発明に係る選別プレートの使用状態時の平面図であり、図５〜図９は本発明に係る選別プレートの使用状態を順番に示す断面図である。
図４に示すように、選別対象物６として、長辺の長さが同一であって太さが異なる通過物６ａと非通過物６ｂが混合したものを用いている。さらに言えば、通過物６ａは棒状であり、非通過物６ｂは通過物６ａの径を太くしたものである。例えば、通過物６ａがマカロニであり、非通過物６ｂが通過物６ａたるマカロニが２本接触して固まったものである。このような場合、非通過物６ｂは不良品として、良品たる通過物６ａと分離する必要があるため、これを選別する。なお、図４ではプレート本体２の外形は省略している。このような選別対象物６のうち、通過物６ａを選別する場合、まず選別プレート１を振動機等（不図示）に設置する。振動機は公知のものを利用できる。この振動機は、プレート１を振動させながらプレート１上の選別対象物６を一方向に移動させることができる。この選別対象物６の移動方向が矢印Ｐで表わされている。なお、本発明に係る選別プレート１を振動機で用いることはあくまで一例である。
【００２５】
図５に示されるように、振動機を稼働することによって、選別プレート１上を矢印Ｐ方向に選別対象物６たる通過物６ａと非通過物６ｂが移動する。そして、図６に示すように、通過物６ａや非通過物６ｂが一のエッジ５のみで支えられるときがある。このエッジ５を隣り合う選別孔３のテーパ面４同士をその上縁にて互いに接して形成することで、万が一選別孔３の上部を選別対象物６が通過してもすぐにいずれかのエッジ５の上側に移動するため、容易にエッジ５のみで支えられる状態を発生させることができる。さらに少し進むと、図７に示すように、エッジ５を介した長さの長いほうが重くなり、通過物６ａや非通過物６ｂはエッジ５を支点として傾く。そして、図８に示すように、通過物６ａはそのまま傾いてテーパ面４に沿って滑り落ち、選別孔３の出口側開口３ｂにその先端が挿入される。一方、非通過物６ｂも同様にテーパ面４を滑るが、その径が出口側開口３ｂよりも大きいため、反対側のテーパ面４にその先端が引っ掛かる。そして、図９に示すように、通過物６ａは出口側開口３ｂを通過して、すなわち選別孔３を通過して下方に落下する。非通過物６ｂはそのまま出口側開口３ｂを通過できず、その後のプレート１の振動で上へ跳ね上がり、再び矢印Ｐ方向にプレート１上を進む。
【００２６】
上述した選別プレートを換言すると、選別孔３を通過可能な通過物６ａと選別孔３を通過不可能な非通過物６ｂとが混合している選別対象物６のうち、通過物６ａを選別する際に用いる選別プレート１であって、選別孔３の出口側開口３ｂは、通過物６ａの外径より大きく、非通過物６ｂの外径より小さいものであるといえる。
【００２７】
このように、通過物６ａが選別孔３を通過するためには、通過物６ａの全長をＬ１とし、出口側開口３ｂの開口縁から反対側に位置するエッジ５までの距離をＬ２としたときに、Ｌ１／Ｌ２の値を適宜所定値にして、選別プレート１を作成することが望ましい。このＬ１やＬ２を通過物や選別孔のどの部分の長さにするかも自由であり、設計は選別対象物の種類、形状、大きさ等を考慮して行う。今回の例では、非通過物６ｂの全長も通過物６ａと同じだが、出口側開口３ｂの径を非通過物６ｂより小さくすることで、選別を図っているものである。すなわち、選別孔３の出口側開口３ｂは、通過物６ａの外径より大きく、非通過物６Ｂの外径より小さい。このため、非通過物６ｂは選別孔３を通過できない。したがって、ある程度の長さを有する通過物６ａと非通過物６ｂが混合されている選別対象物６であっても、その太さごとに選別することができる。
【００２８】
図１０は本発明に係る選別プレートの別の使用状態時の平面図であり、図１１〜図１５は本発明に係る選別プレートの別の使用状態を順番に示す断面図である。
図１０に示すように、選別対象物６として、径が同一であって長辺の長さが異なる通過物６ａと非通過物６ｂが混合したものを用いている。さらに言えば、通過物６ａは棒状であり、非通過物６ｂはそれより長い棒状である。例えば、通過物６ａが棒状のスナック菓子であり、非通過物６ｂが通過物６ａたる棒状のスナック菓子が誤って長く形成されたものである。このような場合、非通過物６ｂは不良品として、良品たる通過物６ａと分離する必要があるため、これを選別する。なお、図４ではプレート本体２の外形は省略している。振動機を用いて選別対象物６を移動させることは図４〜図９の例と同様である。また、振動機を用いることが一例であることも図４〜図９の例と同様である。
【００２９】
図１１に示されるように、例えば振動機を稼働することによって、選別プレート１上を矢印Ｐ方向に選別対象物６たる通過物６ａと非通過物６ｂが移動する。そして、図１２に示すように、通過物６ａは一のエッジ５のみで支えられるときがある。しかしながら、非通過物６ｂはその長さがあるため、一のエッジ５のみで支えられることはない。さらに少し進むと、図１３に示すように、通過物６ａについては、エッジ５を介した長さの長いほうが重くなり、エッジ５を支点として傾く。しかし、非通過物６ｂは２個のエッジ５で支えられているため、傾くことが困難である。プレート１の振動と相まって図１３のように多少傾くことがある程度である。
【００３０】
そして、図１４に示すように、通過物６ａはそのまま傾いてテーパ面４に沿って滑り落ち、選別孔３の出口側開口３ｂにその先端が挿入される。一方、非通過物６ｂは図１３の状態からさらに傾くことはない。エッジ５を支点としたときの反対側の端部への距離が長いため、そちらが重くなるからである。したがって、図１４のように非通過物６ｂは再び水平に戻ろうとする。
【００３１】
そして、図１５に示すように、通過物６ａは出口側開口３ｂを通過して、すなわち選別孔３を通過して下方に落下する。非通過物６ｂは水平に戻り、再び矢印Ｐ方向にプレート１上を進む。その他の構成、作用、効果は上述した図５〜図９で示した例と同様である。
【００３２】
このように、非通過物６ｂの全長は通過物６ａの全長より長いため、エッジ５を支点として選別孔３側に傾こうとしても、反対側が長くなるため、容易に傾かない。万が一、非通過物６ｂがテーパ面４に沿って傾いても、反対側のテーパ面４に引っ掛かり、選別孔３を通過することはない。
【００３３】
図１６は本発明に係る別の選別プレートの概略図である。
図示したように、選別プレート１は、プレート本体２と、このプレート本体２を貫通する多数の選別孔３を有している。プレート本体２は表裏の両面を有し、表面（図の手前側の面）が入口側面２ａであり、裏面が出口側面２ｂである。選別孔３は、入口側面２ａから出口側面２ｂに向けてその径が縮小している。すなわち、選別孔３の内周面はテーパ状に形成されてテーパ面４が形成されている。逆にいえば、テーパ面４は、出口側面２ｂから入口側面２ａに向かって選別孔３が拡径するように傾斜している。したがって、選別孔３の入口側開口３ａは、出口側開口３ｂに比べて大きい。また、一方向（図の左右方向）において、隣り合う選別孔３の入口側開口３ａの開口縁同士は接していて、エッジ５が形成されている。一方で、これと直交する方向では、隣り合う選別孔３は所定の厚みを有する隔壁７で仕切られている。
【００３４】
図１７は図１６に示した選別プレートの平面図であり、図１８は図１７のＢ−Ｂ断面図である。
図１７では、プレート本体２の外形は省略している。上述したように、一方向（図の左右方向）において、選別孔３は、エッジ５を介して互いの入口側開口３ａの開口縁が接しながら隣り合っている。一方で、多方向（図の上下方向）において、選別孔３は、隔壁７を介して隣り合っている。図１８に示すように、エッジ５はテーパ面４とその隣のテーパ面４との間に形成されているため、鋭角である。その他の構成、作用、効果は上述した図１〜３で示した例と同様である。
【００３５】
図１９は図１６に示した選別プレートの使用状態時の平面図であり、図２０〜図２４は図１６に示した選別プレートの使用状態を順番に示す断面図である。
図１９に示すように、選別対象物６として、円形で薄板状の通過物６ａと、この通過物６ａが端部にて２枚重なった非通過物６ｂが混合したものを用いている。例えば、通過物６ａがせんべいであり、非通過物６ｂが通過物６ａたるせんべいが製造過程で２個接触して固まったものである。このような場合、非通過物６ｂは不良品として、良品たる通過物６ａと分離する必要があるため、これを選別する。なお、図４ではプレート本体２の外形は省略している。振動機を用いて選別対象物６を移動させることは図４〜図９の例と同様である。また、振動機を用いることが一例であることも図４〜図９の例と同様である。
【００３６】
図２０〜図２４に示すように、通過物６ａが選別孔３を通過する作用及び非通過物６ｂが選別孔３を通過しない作用は、断面で見ると、図１１〜図１５で説明した例とほぼ同様である。
【００３７】
なお、矢印Ｐ方向に移動する際、非通過物６ｂがその長手方向を矢印Ｐと直角方向にして移動するときがある。このような状態になっても、隔壁７間の長さが非通過物６ｂの全長より短いため、選別孔３を通過することはない。
【００３８】
上述した選別プレートを換言すると、選別孔３を通過可能な通過物６ａと選別孔３を通過不可能な非通過物６ｂとが混合している選別対象物６をプレート本体２の一方向に沿って移動させながら、通過物６ａを選別する際に用いる選別プレート１であって、通過物６ａは板状であり、非通過物６ｂは通過物６ａより長手方向の全長が長い板状であり、選別対象物６が入口側面２ａを一方向に移動するときに、選別対象物６の移動方向と平行方向に並ぶ選別孔３はエッジ５を介して配置され、移動方向と直角方向に並ぶ選別孔３は所定の厚みを有する隔壁７を介して配置され、隔壁７間の長さは非通過物６ｂの全長より短いものであるといえる。
【００３９】
このように、非通過物６ｂがエッジ５を支点にしてテーパ面４に沿って傾こうとしても、反対側までの距離が長いため、容易には傾かない。万が一、非通過物６ｂがテーパ面４に沿って傾いても、反対側のテーパ面４に引っ掛かり、選別孔３を通過することはない。また、非通過物６ｂがその長辺を移動方向と直角方向と平行になるようにして移動したとしても、隔壁７間の長さは非通過物６ｂの全長より短いため、隔壁７に引っ掛かって非通過物６ｂが選別孔３を通過することはない。
【００４０】
図２５は本発明に係る選別プレートを用いた振動ふるい装置の概略図である。
選別プレート１はスプリング８を介して図示しない機台に載せられる。このとき、選別プレート１の外縁及び外周は支持部材９で支持される。スプリング８は、図示しない起振装置に接続される。この起振装置で発生した起振力がスプリング８を介して選別プレート１に伝わる。これにより、通過物６ａが選別孔３を通過しながら、選別プレート１上の選別対象物６が一方向に移送される。選別孔３を通過した通過物６ａは、選別プレート１の下側に設けられたコンベヤ１０でさらに移送され、容器１１に収容される（矢印Ｓ）。一方、選別孔を通過しなかった非通過物６ｂは、そのまま選別プレート１の端部から落下して容器１２に収容される（矢印Ｔ）。このようにして、選別対象物６のうち、通過物６ａと非通過物６ｂを選別することができる。
【００４１】
図２６は本発明に係るさらに別の選別プレートの概略図である。また、図２７は図２６のＣ−Ｃ一部断面図である。
この選別プレート１６は、プレート本体１７が板材１３とガイド板１４とを組み合わせて形成されている。板材１３は、選別対象物の移動方向（矢印Ｐ）と交差して平行に複数配設されている。ガイド板１４は、選別対象物の移動方向に沿って平行に複数配設されている。ガイド板１４の上面は、少なくとも板材１３よりも上方に位置している。板材１３は、長手方向に沿って屈曲され、屈曲縁であるエッジ１８を上側にして配設されている。したがって、板材１３の上面は下側に向かって傾斜した傾斜面１５を有している。図２７を参照すれば明らかなように、エッジ１８間で形成された選別孔１９の入口側開口１９ａは、傾斜面１５の下端１５ａ間で形成された出口側開口１９ｂよりも小である。
【００４２】
また、ガイド板１４の全長は、隣り合うガイド板１４の全長とは異なっている。すなわち、全長の長いガイド板１４は、選別対象物の移動方向（矢印Ｐ）の手前側に突出している突出片１４ａを有している。この突出片１４ａを有するガイド板１４と有さないガイド板１４とが交互に配設されている。このように突出片１４ａを交互に配設することにより、移動中の長尺の選別対象物を突出片１４ａに接触させ、突出片１４ａを支点として傾かせて、効率よく選別対象物を移動させることができる。
【００４３】
また、ガイド板１４の選別対象物に移動方向に対する手前側は、上面が徐々に高さを増している。このような上昇面１４ｂを設けることで、移動してきた選別対象物がガイド板１４の移動方向手前側に突き当たり、さらに移動することで上昇面１４ｂに乗っかってある程度移動するので、選別対象物がガイド板１４に突き当たって停止することを抑制できる。
【００４４】
図２８は本発明に係る選別プレートを組み合わせて利用したときの概略図である。
図示したように、図１で示した選別プレート１と図２６で示した選別プレート１６を組み合わせて使用することもできる。このように組み合わせて、多種多様な形状の選別対象物が混合した場合でもそれぞれの選別プレート１，２６を用いて適切に選別することが可能となる。
【００４５】
図２９は本発明に係るさらに別の選別プレートの概略図である。
図では、選別プレート１６の上側を覆う板状のカバー材２０を備えた例を示している。このように、カバー材２０で選別プレート１６、より詳しくはプレート本体１７の全面上側を覆うことで、さらに選別の確実性を向上できる。すなわち、長尺の選別対象物（選別孔を通過させない非通過物）が移動中、飛び跳ねて放物線を描き、その先端から選別孔に直接入ってしまうことがあるが、カバー材２０を設けることで、飛び跳ねた非通過物が放物線を描く前にカバー材２０に衝突させることができる。あるいは、飛び跳ね方によっては、非通過物の先端が選別孔に挿入するような姿勢になることがあるが、そのような姿勢になる前に、非通過物の後端をカバー材２０に衝突させ、非通過物たる長尺の選別対象物が選別孔を通過してしまうことを防止できる。
【００４６】
このカバー材２０は、出口側開口１９ｂ（図２７参照）から垂直方向に所定長さの設置高さを隔てて配設される。選別孔を通過させない非通過物が誤って飛び跳ね、選別孔を通過させないために、設置高さは非通過物の全長より短い。これにより、非通過物が飛び跳ねてその先端から選別孔を通過する姿勢となる前に、非通過物の後端がカバー材２０に衝突するので、非通過物が誤って選別孔を通過することを確実に防止できる。なお、カバー材２０は上述した選別プレート１に対しても適用可能である。
【符号の説明】
【００４７】
１  選別プレート
２  プレート本体
２ａ  入口側面（上面）
２ｂ  出口側面（下面）
３  選別孔
３ａ  入口側開口
３ｂ  出口側開口
４  テーパ面
５  エッジ
６  選別対象物
６ａ  通過物
６ｂ  非通過物
７  隔壁
８  スプリング
９  支持部材
１０  コンベヤ
１１  容器
１２  容器
１３  板材
１４  ガイド板
１４ａ  突出片
１４ｂ  上昇面
１５  傾斜面
１６  選別プレート
１７  プレート本体
１８  エッジ
１９  選別孔
１９ａ  入口側開口
１９ｂ  出口側開口
２０  カバー材
【図１】
2011115774.tif 000003
【図２】
2011115774.tif 000004
【図３】
2011115774.tif 000005
【図４】
2011115774.tif 000006
【図５】
2011115774.tif 000007
【図６】
2011115774.tif 000008
【図７】
2011115774.tif 000009
【図８】
2011115774.tif 000010
【図９】
2011115774.tif 000011
【図１０】
2011115774.tif 000012
【図１１】
2011115774.tif 000013
【図１２】
2011115774.tif 000014
【図１３】
2011115774.tif 000015
【図１４】
2011115774.tif 000016
【図１５】
2011115774.tif 000017
【図１６】
2011115774.tif 000018
【図１７】
2011115774.tif 000019
【図１８】
2011115774.tif 000020
【図１９】
2011115774.tif 000021
【図２０】
2011115774.tif 000022
【図２１】
2011115774.tif 000023
【図２２】
2011115774.tif 000024
【図２３】
2011115774.tif 000025
【図２４】
2011115774.tif 000026
【図２５】
2011115774.tif 000027
【図２６】
2011115774.tif 000028
【図２７】
2011115774.tif 000029
【図２８】
2011115774.tif 000030
【図２９】
2011115774.tif 000031